(57)【特許請求の範囲】
【請求項１】
血流の下流側から挿入して使用するカテーテル本体と、カテーテル本体の先端から所定の先端距離を開けて設けられ、カテーテル外形を拡張させる拡張部とを具備する血管内異物除去用カテーテルであって、カテーテル本体の先端が円形の内腔によって開放されると共に、カテーテル本体の側面であって前記先端距離内の区間に血管内異物吸引用の側面孔を設け、前記内腔及び側面孔によって先端面及び側面に吸引機能を具備するものであり、
前記拡張部が、カテーテル本体の外周に設けられた、シート状の展開シートを有する傘体と、傘体をカテーテル本体の外周側面に沿うように収束させた収束状態のままで保持する収束具とからなり、前記傘体の展開シートは、収束具に拘束されていない開放状態で、カテーテル本体の外周側面からさらに外側へ血流を閉塞するように展開すると共に、収束具に拘束された状態で、収束状態に至るまで解弛するものであり、前記展開シートには、血液の成分を通し、血栓や血栓滓を通さない程度の微細孔がシート全体に均等に散設されていることを特徴とする血管内異物除去用カテーテル。
【請求項２】
側面孔が、カテーテル本体の内腔よりも小さい円形孔であると共に、カテーテル本体の伸長軸に対する垂直断面内の対称位置に等間隔に複数個設けられる請求項１記載の血管内異物除去用カテーテル。
【発明の詳細な説明】
【技術分野】
【０００１】
この発明は、末梢血管内の血栓（プラークを含む）等の血管内異物を除去するための血管内異物除去用カテーテルに関する。
【背景技術】
【０００２】
末梢血管の血管内治療（インターベンション）における末梢血管保護デバイス（プロテクションデバイス）として、従来、血流遮断バルーンが付設されたカテーテル導入用多枝管装置が存在した（例えば、特許文献１参照）。これは、図１５に示すように、主導管の自由端近傍の外周に血流遮断バルーンを付設したもので、主導管は独立した第一及び第二の導孔を内部に有する。血流遮断バルーンは第二導孔を通じて供給される流体の圧力によって拡張又は収縮し、血管内の血栓等は、第一導孔を通じて血液と主に吸引除去するものとされる。
【特許文献１】特開２００５−３１２６５４号公報
【発明の開示】
【発明が解決しようとする課題】
【０００３】
しかしながら、上記従来の多枝管装置の主導管の先端部においては、血流遮断バルーンで血流を確実に遮断すべく、主導管よりもある程度後方（下流側）位置に血流遮断バルーンが付設されている。また、主導管の先端面に設けられた主導孔から吸引カテーテルを挿入して血栓除去等の治療を行うものである。このため、血栓吸引をおこなう吸引カテーテルと血流遮断バルーンとの間に、吸引のできない吸引不可領域が生じてしまう（図１５参照）。これにより、主導孔内に入らずに主導管の側方の吸引不可領域に流れた血栓や血栓滓が、血流遮断バルーンで遮断された遮断面上に溜まってしまうという問題点があった。
【０００４】
前記溜まった吸引不可領域の血栓等が、血流遮断バルーンの収縮によって末梢血管の末端側に流れてしまうと、患者にとって極めて危険な状況になり得る。すなわち、血管が細分しているため比較的細かな血栓滓であっても血流を阻害しやすく、血流障害を起こす可能性が高くなる。これに加えて、挿入管の太さや挿入可能箇所が限られるため、抹梢の細い血管の治療は非常に困難である。このため、血管内治療をしたことによる、治療箇所よりも下流側の血管への血栓や血栓滓の流出は、極めて危険な状況であり、この様な状況は医療上大きな問題である。
【０００５】
そこで本発明は、治療箇所よりも下流側の血管への血栓滓の流出を抑制しうる血管内異物除去用カテーテルを提供することを課題とする。
【課題を解決するための手段】
【０００６】
上記課題を解決するために、下記（１）ないし（２）の手段を採用する。
【０００７】
（１）すなわち、本発明の血管内異物除去用カテーテルは、カテーテル本体１と、カテーテル本体１の先端から所定の先端距離２ｆＤを開けて設けられ、カテーテル外形を拡張させる拡張部２とを具備する血管内異物除去用カテーテルであって、
カテーテル本体の先端が円形の内腔によって開放されると共に、カテーテル本体の側面であって前記先端距離内の区間に血管内異物吸引用の側面孔を設け、前記内腔及び側面孔によって先端面及び側面に吸引機能を具備するものであり、
前記拡張部が、カテーテル本体の外周に設けられた、シート状の展開シートを有する傘体と、傘体をカテーテル本体の外周側面に沿うように収束させた収束状態のままで保持する収束具とからなり、前記傘体の展開シートは、収束具に拘束されていない開放状態で、カテーテル本体の外周側面からさらに外側へ血流を閉塞するように展開すると共に、収束具に拘束された状態で、収束状態に至るまで解弛するものであり、前記展開シート２３１には、血液の成分を通し、血栓や血栓滓を通さない程度の微細孔がシート全体に均等に散設されていることを特徴とする。
【０００８】
（２）また、前記血管内異物除去用カテーテルにおいて、側面孔が、カテーテル本体１の内腔よりも小さい円形孔であると共に、カテーテル本体の伸長軸に対する垂直断面内の対称位置に等間隔に複数個設けられることが好ましい。
【０００９】
なお展開シート２３１には、血液の成分を通し、血栓や血栓滓を通さない程度の微細孔が多数設けられている。この微細孔は吸引用の側面孔３と比べてきわめて小さい孔径である。
【００１０】
なお、傘体２３が、前記膨縮袋２２と隣接して設けられた、シート状の傘体２３を具備してなり、この傘体２３が、カテーテル本体１の基端側膨縮袋２２の膨縮に応じてそれぞれ、血流を閉塞するように広がり、或いは、カテーテル本体１の外周に沿って複数のひだを有する状態で血流を開放するようにカテーテル本体１に沿うものとしてもよい。
【００１１】
このようなものであれば、拡張部２の上流側とカテーテル本体１の先端との間に位置する側面孔３から、拡張部２（の上流側）で堰き止められて溜まった血管内異物Ｐ（プラ−ク或いは血栓滓）を吸引することができる。
【００１２】
拡張部２の収縮前に側面孔３から血管内異物Ｐを吸引することで、溜まった血管内異物Ｐが、治療箇所よりも下流側ヘ流れ込む事を防止或いは抑止することが出来る。
【発明の効果】
【００１３】
この発明の血管内異物除去用カテーテルは、上述のような構成を有しており、治療箇所よりも下流側の血管への血管内異物の流出を抑制することができる。
【発明を実施するための最良の形態】
【００１４】
以下、この発明の好適な実施形態を、各実施形態を示す図面を参照して説明する。
【００１５】
図１〜図５には本発明の参考例１の血管内異物除去用カテーテルを、図６、図７、及び図８にはそれぞれ本発明の参考例２、参考例３、及び参考例４の血管内異物除去用カテーテルを示す。また、図９ないし図１２には本発明の実施例１の血管内異物除去用カテーテルを、図１３及び図１４にはそれぞれ本発明の実施例２及び実施例３の血管内異物除去用カテーテルを示す。
【００１６】
いずれの実施例においても、本発明の血管内異物除去用カテーテルは、カテーテル本体１と、カテーテル本体１の先端から所定の先端距離２ｆＤを開けて設けられた、カテーテル外形を拡張させる拡張部２とを具備する。そして、カテーテル本体１の側面であって、前記先端距離２ｆＤ内の所定の区間に、吸引用の側面孔３を設けたことを特徴とする。
【００１７】
さらに、前記参考例１〜４の血管内異物除去用カテーテル（図１〜図８）は、カテーテル外形を拡張させる拡張部２が、カテーテル本体１の外周に沿って環状に設けられた、液体又は気体が流通しうる流通路２１と、流通路２１の先に連設されてカテーテル本体１の外周に沿って環状に設けられた、前記流通路２１を通る液体又は気体の流入出に応じて膨縮しうる膨縮袋２２と、を具備してなる。
【００１８】
また、実施例１〜３の血管内異物除去用カテーテル（図９〜図１４）は、カテーテル外形を拡張させる拡張部２が、カテーテル本体１の外周に設けられた、展開シート２３１を有する傘体２３と、傘体２３をカテーテル本体１の外周側面に沿うように収束した収束状態Ｓ２のままで保持する収束具２４とからなる。
【００１９】
なお図１５は、従来のカテーテル導入用多枝管装置の主導管の例である。図１５では、主導管の自由端の側方において、図５ないし図７、或いは図１２と比較して、血管内異物Ｐが先端の側面の回収不能領域に溜まったままの状態となっている。
【００２０】
（本発明の血管内異物除去用カテーテル）
本発明の血管内異物除去用カテーテルは、末梢血管内の血栓（プラークを含む）等の異物を、吸引によって除去するための血管内異物除去用カテーテルであり、それ自体が先端面及び側面に吸引機能を具備する。血管内異物除去用カテーテルとは、経皮的血栓除去用カテーテルや、凝塊排出カテーテルといわれるカテーテルを含む概念である。先端面及び側面に吸引機能を具備するため、特に、血流の下流側から挿入して使用することに適したものであるものの、血流の上流側から挿入して吸引機能を使用することも可能である。
【００２１】
なお、本発明は、それ自体がシースイントロデューサー機能を兼ね備えたイントロデュースカテーテルとは相違するものの、カテーテル本体１の先端部の内腔１１にダイレーターを挿入することによって、イントロデュース機能を備えた血管内異物除去用カテーテルとして用いることも可能である。
(参考例１）
【００２２】
（カテーテル本体１）
カテーテル本体１は、円環状のまま伸長したカテーテルパイプであり、伸長軸に沿って内腔１１を有し、先端が円形の内腔１１によって開放される。先端面の周囲には、伸長方向及び軸垂直面に対して斜めに面取りした面取り部１２が設けられる。すなわち、面取り部１２において、カテーテル本体の外形が、軸方向先端側に向って縮径される。
【００２３】
（拡張部２）
拡張部２は、図２及び図５に示すように、カテーテル本体１の先端から所定の先端距離２ｆＤを開けて設けられ、カテーテル外形を拡張させるものである。所定の先端距離２ｆＤとは、例えばカテーテル本体１の内腔１１の径の少なくとも半分以上であること、あるいは例えば、内腔１１の径以上であることが好ましい。
【００２４】
具体的には、参考例１において拡張部２の先端側を構成する膨縮袋２２は、カテーテル本体１から所定の先端距離２ｆＤを開けた後方位置に設けられる。これにより、カテーテル挿入時に収縮状態の膨縮袋２２が経皮等と接触して破裂や裂傷することを防止し、また、カテーテル挿入時に膨縮袋２２による大きな抵抗が発生しないようにして、よりスムーズなカテーテル挿入を可能としている。
【００２５】
参考例１の拡張部２は、カテーテル本体１の外周に沿って環状に設けられた、液体又は気体が流通しうる流通路２１と、流通路２１の先に連設されてカテーテル本体１の外周に沿って環状に設けられた、液体又は気体の流入出に応じて膨縮しうる膨縮袋２２と、を具備してなる。なお前記液体又は気体は、膨縮袋への流出入によって膨縮袋を拡張或いは収縮させるものである。
【００２６】
（流通路２１）
流通路２１は、軸を含む側断面視にてカテーテル本体１の伸長方向に沿って環状に設けられ、その内部を液体又は気体が流通しうるものである。実施例では、図４に示す軸と垂直な正面断面視にて、流通路２１が内腔１１の軸と同軸の筒状扁平の環状の微細な隙間を形成し、内腔１１の周囲、すなわちカテーテル本体１の外周に沿うように設けられる。すなわち流通路２１は、正面断面視にて二重円を形成し、カテーテル本体１の内腔１１とこの流通路２１とでいわゆるコアキシャルルーメン構造を形成する。
【００２７】
（膨縮袋２２）
膨縮袋２２は、流通路２１の先に連設かつ連通されて、カテーテル本体１の外周に沿って環状に設けられ、それ自体が、流通路２１からの液体又は気体の流入出に応じて膨縮しうるものである。図１ないし図３、及び図５では、膨張状態のみを示す。液体又は気体が殆ど又は全く存在しない状態では、膨縮袋２２が収縮状態となり、膨縮袋２２を構成する袋面が解弛してカテーテル本体１の外周面に接触して沿うものとなる（図示せず）。
【００２８】
また膨縮袋２２は、図１に示すように、膨張状態で、カテーテル本体１の伸長軸方向を長軸とした楕円球を形成する。但し実際の使用時には、図５に示すように、軸を含む側面断面視にて、膨縮袋２２の長軸方向全長のうち中央半分長以上（好ましくは例えば四分の三長程度）の血管接触部２２ｃが、血管と接触したまま、それ以上血管を押し広げることなく血管内面に沿うものとなる。これにより血管内面の形状に柔軟に対応してより確実な血管遮断を達成している。
【００２９】
またここで、同じく図５にて、血管接触部２２ｃから膨縮袋２２の先端に至るまでの部分を非接触先端部２２ｆｎｃとしたとき、この非接触先端部２２ｆｎｃは、軸を含む側面断面視にて、例えば中心角６０度の円弧よりも大きな曲率で形成される。また、膨張状態で非接触先端部２２ｆｎｃの軸中心側の部分は、血管内異物の滞留を防ぐべく、例えば伸長軸に対する略垂直面を形成するか、或いはこの略垂直面に対して前後１５度以内の角度で傾斜した面を形成することが好ましい。更にいえば、カテ−テール本体の外周面と略垂直に交わることが好ましい。
【００３０】
（側面孔３）
側面孔３は、カテーテル本体１の伸長軸を中心として、伸長軸に対する垂直断面内の対称位置に等間隔に複数個設けられる。参考例１では、図３に示すように対称位置であって軸方向同位置に２個設けられ、その孔径３Ｄはカテーテル本体１の内腔１１の径の例えば略３分の１である。
【００３１】
また、図２及び図５に示すように、カテーテル本体１の先端から所定の軸方向距離（すなわち、膨縮袋２２の先端距離２ｆＤから、孔径３Ｄを差し引いた残りの長さ）を開けて設けられ、カテーテル本体１の先端と接していないことが好ましい。これらにより、特に大きな外力のかかるカテーテル本体１の先端部にて、所定以上の強度を保つ事が出来、カテーテル本体１の挿入時に曲がったり、変形したりすることのないものとしている。実施例では、膨縮袋２２の非接触先端部２２ｆｎｃと、側面孔３の基端縁とが接してなることで、血管内異物Ｐの回収をより確実に行うものとしている。
【００３２】
（マーカー５）
カテーテル本体１又は拡張部２には、図２に示すように、拡張部２の軸方向位置の前方及び後方を示すマーカー５が設けられる。このマーカー５は、プラチナ、タンタリウムなど、Ｘ線透視下で視認しうる金属からなり、カテーテル本体１に巻付くように形成される。マーカー５の位置は、図５のように、先端或いは後端が、それぞれ血管接触部２２ｃの先端或いは後端となる位置であり、図５のように前方及び後方の２箇所に、視認可能な所定の軸方向長をもって設けられる。
【００３３】
(参考例２）
図６に、本発明の参考例２の血管内異物除去用カテーテル（膨張状態）の側面視方向断面図の使用状態を示す。参考例２の血管内異物除去用カテーテルは、参考例１と比較して、膨縮袋２２の膨張径が小さく、血管接触部２２ｃが膨縮袋２２の軸方向長さ（長軸）の略５分の１長となっている。また、マーカー５がこの短い血管接触部２２ｃの前後端の位置となるように１つだけ、膨縮袋２２の軸方向長さ（長軸）の中央位置に設けられる。このようなものであれば、マーカー５が血管遮断位置の軸方向中央を確実に指示しうるものとなる。膨縮袋の非接触先端部２２ｆｎｃは、参考例１よりも軸方向長が長いものの、曲率を軸中央から外周側に広がるに従って、軸との角度が小さくなるようにしており、血管と接触する付近では血管の内面と微細な角度で接触するものとし、血管内異物Ｐの滞留を抑制しうるものとしている。その他の主な構成は、参考例１と同様である。
【００３４】
(参考例３）
図７に、本発明の参考例３の血管内異物除去用カテーテル（膨張状態）の側面視方向断面図の使用状態を示す。参考例３の血管内異物除去用カテーテルは、参考例１と比較して、膨張状態の膨縮袋２２が、楕円球ではなく略円柱からなるものしている。但し図７に示すように、前後端はアール状の曲面境界を設けており、外力の偏り等を原因とする膨縮袋２２の破裂や破断、裂傷を抑止するものとしている。本実施例では、血管接触部２２ｃが膨縮袋２２の軸方向長さ（長軸）のほぼ全域（具体的には、例えば８０％以上）を占めるものとなっており、より確実な血管遮断を可能としている。また、非接触先端部２２ｆｎｃの曲面が小さく、非接触先端部２２ｆｎｃが、軸中心から外周近傍まで軸と垂直な略平面から形成されるため、血管内異物Ｐがより滞留しにくい構造となっている。その他の主な構成は、参考例１と同様である。
【００３５】
(参考例４）
図８に、本発明の参考例４の血管内異物除去用カテーテルの正面視軸断面説明図を示す。これは、図２に示す参考例１のＡ−Ａ位置に相当する、側面孔３を含む位置の軸垂直断面である。参考例３の側面孔３は、軸方向同位置に等間隔に３個設けられる。孔径３Ｄは、カテーテル本体１の内腔１１の径に対して略８分の１としており、容易に変形したり潰れたりしない所定の強度を有すものとしている。その他の主な構成は、参考例１と同様である。
【実施例１】
【００３６】
図９に、本発明の実施例１の血管内異物除去用カテーテルの収束状態Ｓ２を、側面視軸一部断面説明図として示す。なお図９では血管及び収束具２４のみ断面としている。また図１０に、図９に続く使用状態を側面視軸断面説明図として示す。図１０は、図９の状態から、収束具２４が軸方向基端側へスライドして傘体２３が拡張しつつある状態である。そして、図１１に、図１０に続く使用状態を側面視一部断面説明図に示す。図１１は、図１０の状態から、収束具２４が更に軸方向基端側へスライドして、傘体２３の周端及びその付近の展開シート２３１が血管と接触し、傘体２３が開放状態Ｓ１となった状態である。図１２は、図１１の開放状態Ｓ１の血管内異物除去用カテーテルの側面視軸断面説明図である。
【００３７】
実施例１の血管内異物除去用カテーテルは、拡張部２が、カテーテル本体１の外周に設けられた、展開シート２３１を有する傘体２３と、傘体２３をカテーテル本体１の外周側面に沿うように収束した収束状態Ｓ２のままで保持する収束具２４とからなる。
【００３８】
傘体２３の展開シート２３１は、収束具２４に拘束されていない開放状態Ｓ１で、カテーテル本体１の外周側面からさらに外側へ血流を閉塞するように展開して緊張又は拡張する（図１１及び図１２）。また、収束具２４に拘束された状態で、収束状態Ｓ２に至るまで解弛して弛緩する（図９）。展開シート２３１はその他、展開時には、緊張と共にあるいは膨張するものであっても良く、また、拡張解弛時には弛緩と共に、或いは弛緩せずに収縮するものであっても良い。この展開シート２３１には、血液の成分を通し、血栓や血栓滓を通さない程度の微細孔が多数設けられている。この微細孔は吸引用の側面孔３と比べて１０分の１以下、更に好ましくは５０分の１以下の極めて小さい孔径であり、展開シート２３１全体に均等に散設される。なお前述の参考例１ないし４の血管内異物除去用カテーテルにおいては、カテーテル本体１、膨縮袋２２のいずれにもこのような多数の微細孔は存在しない。
【００３９】
（傘体２３）
傘体２３は具体的には、カテーテルの先端側を開放端とし、基端側を固定端として傘状に展開する展開シート２３１と、開放状態Ｓ１で展開シート２３１を展開させるように付勢する、展開シート２３１に固定された展開骨２３２とから成り、展開シート２３１及び展開骨２３２が共に固定部にてカテーテル本体１の外周に接するように固定される。
【００４０】
展開骨２３２は、開放状態Ｓ１での傘体２３の展開状態を形状記憶させた、形状記憶合金からなるものとすることが出来る。実施例１の展開骨２３２は、収束状態Ｓ２で軸と沿うようにして、軸に沿って並行に伸びる複数本の形状記憶合金からなる。開放状態Ｓ１では、カテーテル本体１の外周面と接触する固定端から、軸方向先端に向って外周へ広がり、軸からの距離が大きくなるものとしている。
【００４１】
（収束具２４）
収束具２４は、この傘体２３の固定部を覆うようにして傘体２３及びカテーテル本体１の周囲に覆設される筒体であり、傘体２３よりも基端側に、傘体２３と接触可能な位置として、軸方向にスライド可能に設けられる。そして、収束具２４の先端が傘体２３と接触するようにしたまま、収束具２４をスライドさせることで、傘体２３の開放による拡張の程度を調節する。ここで傘体２３の固定部基端２３ｒは、図１１や図１２に示す傘体２３の開放状態Ｓ１においても、収束具２４の内側に位置することが好ましい。
【００４２】
実施例１の側面孔３は、図１２に示すように、傘体２３のカテーテル本体１との接触位置を基準位置としたとき、この基準位置から前方へ、所定の孔縁基端距離４Ｄを開けて設けられることが好ましい。この孔縁基端距離４Ｄはすなわち、側面孔３基端縁から固定部先端の軸方向距離を示す。具体的には、孔縁基端距離４Ｄは側面孔３の孔径３Ｄ以上であることが好ましい。これは、傘体２３とカテーテル本体１の外周とで、狭角領域が形成され、両者間に血管内異物Ｐが挟まってしまう状態となるのを抑止するためであり、傘体２３内部の血管内異物Ｐをより効率的に回収するためである。
【００４３】
その他の特定しない主な構成は、参考例１とほぼ同様である。
【実施例２】
【００４４】
図１３に、本発明の実施例２の血管内異物除去用カテーテルの開放状態Ｓ１を、側面視一部断面説明図として示す。実施例２の展開骨２３２は、開放状態Ｓ１でひし形となるように互いに交わり、斜め格子の網目を形成する。実施例２の展開シート２３１にも実施例１と同様に、血液の成分を通し、血栓や血栓滓を通さない程度の微細孔が多数設けられている。その他の主な構成は実施例１と同様である。
【実施例３】
【００４５】
図１４に、本発明の実施例３の血管内異物除去用カテーテルの開放状態Ｓ１を、側面視一部断面説明図として示す。実施例３の展開骨２３２は、先端が外周に広がる湾曲線に形状記憶された第一の展開骨２３２ａと、第一の展開骨２３２の先端に連なった基端部から、先端方向にかけて縮径させる湾曲線に形状記憶された第二の展開骨２３２ｂと、第二の展開骨２３２ｂの先端側でカテーテル本体１から浮いた状態の環状の第一の展開補助骨２３２ｃと、第一の展開骨２３２の開放状態Ｓ１を補助して基端側の円弧状の湾曲線に形状記憶された第二の展開補助骨２３２ｄとからなる。実施例３の展開シート２３１は、このうち第一の展開骨２３２ａを覆うようにしてなり、第二の展開補助骨２３２ｄと固定される。展開シート２３１はまた、第一の展開骨２３２ａと、第二の展開骨２３２ｂとの境界部を開放縁とする。実施例３の展開シート２３１にも実施例１と同様に、血液の成分を通し、血栓や血栓滓を通さない程度の微細孔が多数設けられている。その他の主な構成は実施例１と同様である。
【００４６】
その他、本発明は上述した参考例、実施例に限定されず、本発明の趣旨を逸脱しない範囲で種々の変更が可能である。
【図面の簡単な説明】
【００４７】
【図１】本発明の参考例１の血管内異物除去用カテーテルの斜視説明図である。
【図２】本発明の参考例１の血管内異物除去用カテーテルの側面視一部軸断面説明図である。
【図３】図２に示す血管内異物除去用カテーテルの正面視方向Ａ−Ａ断面図である。
【図４】図２に示す血管内異物除去用カテーテルの正面視方向Ｂ−Ｂ断面図である。
【図５】本発明の参考例１の血管内異物除去用カテーテルの使用状態を示す側面視軸断面説明図である。
【図６】本発明の参考例２の血管内異物除去用カテーテルの側面視方向断面図である。
【図７】本発明の参考例３の血管内異物除去用カテーテルの側面視軸断面説明図である。
【図８】本発明の参考例４の血管内異物除去用カテーテルの正面視軸断面説明図である。
【図９】本発明の実施例１の血管内異物除去用カテーテルの収束状態を示す側面視軸一部断面説明図である。
【図１０】本発明の実施例１の血管内異物除去用カテーテルの使用状態を示す側面視軸断面説明図である。
【図１１】本発明の実施例１の血管内異物除去用カテーテルの開放状態を示す側面視一部断面説明図である。
【図１２】図１１に示す発明の実施例１の血管内異物除去用カテーテルの側面視軸断面説明図である。
【図１３】本発明の実施例２の血管内異物除去用カテーテルの開放状態を示す側面視一部断面説明図である。
【図１４】本発明の実施例３の血管内異物除去用カテーテルの開放状態を示す側面視一部断面説明図である。
【図１５】従来のカテーテル導入用多枝管装置の主導管の例の側面視軸断面説明図である。
【符号の説明】
【００４８】
１  カテーテル本体
１１  内腔
１２  面取り部
２  拡張部
２ｆＤ  先端距離
２１  流通路
２２  膨縮袋
２２ｃ  血管接触部
２２ｆｎｃ  非接触先端部
２３  傘体
２３ｒ  固定部基端
２３１  展開シート
２３２  展開骨
２３２ａ  第一の展開骨
２３２ｂ  第二の展開骨
２３２ｃ  第一の展開補助骨
２３２ｄ  第二の展開骨
２４  収束具
３  側面孔
３Ｄ  孔径
４Ｄ  孔縁基端距離（側面孔基端縁〜固定部先端）
５  マーカー
Ｓ１  開放状態
Ｓ２  収束状態
Ｐ  血管内異物
【図１】
0004457205.tif 000002
【図２】
0004457205.tif 000003
【図３】
0004457205.tif 000004
【図４】
0004457205.tif 000005
【図５】
0004457205.tif 000006
【図６】
0004457205.tif 000007
【図７】
0004457205.tif 000008
【図８】
0004457205.tif 000009
【図９】
0004457205.tif 000010
【図１０】
0004457205.tif 000011
【図１１】
0004457205.tif 000012
【図１２】
0004457205.tif 000013
【図１３】
0004457205.tif 000014
【図１４】
0004457205.tif 000015
【図１５】
0004457205.tif 000016